(57)【特許請求の範囲】
【請求項１】
各々が複数個の時間スロットを有する逐次的に発生するフレームによって規定された通信チャネルを有するシステムにおいてハーフレート（１／２レート）チャネルを実現する方法が、
Ａ  特定の情報チャネルに対して割り当てられた時間スロットを有するその次に発生するフレームの位置番号を決定する段階と、
Ｂ  前記次に発生するフレームの前記決定された位置番号を２で除した結果を得る段階と、
Ｃ  複数個のキャリア周波数のうちから前記次に発生するフレームの前記時間スロットに係る一つのキャリア周波数を得るために前記結果を用いる段階と、
を有することを特徴とするキャリア周波数割り当て方法。
【請求項２】
前記方法が、さらに、
Ｄ  前記結果が整数ではない場合に前記結果を前記結果より小さい最近接整数に丸める段階
を有することを特徴とする請求項１に記載のキャリア周波数割り当て方法。
【請求項３】
各々が複数個の時間スロットを有する逐次的に発生するフレームによって規定された通信チャネルを有するシステムにおいてハーフレートチャネルを実現する方法が、
Ａ  特定の情報チャネルに対して割り当てられた次に発生するフレームにおける時間スロットに対するキャリア周波数を
ｆｎ１＝ｆｎ／２
という関係から決定する段階と、
を有し、
ここで、ｆｎは特定の情報チャネルに対して割り当てられた次に発生するフレームの位置番号、及び、ｆｎ１はフレームｆｎの時間スロットに対して用いられるべき実際のキャリア周波数を決定する際に用いられるべきフレームの位置番号である
ことを特徴とするキャリア周波数割り当て方法。
【請求項４】
前記方法が、さらに、
Ｂ  ｆｎ１に関して得られた前記結果を前記結果より小さい最近接整数に丸める段階
を有することを特徴とする請求項３に記載のキャリア周波数割り当て方法。
【請求項５】
前記方法が、さらに、
Ｃ  複数個のキャリア周波数のなかから前記キャリア周波数を選択する段階と、
を有することを特徴とする請求項４に記載のキャリア周波数割り当て方法。
【請求項６】
各々が複数個の時間スロットを有する逐次的に発生するフレームによって規定された通信チャネルを有するシステムにおいてキャリア周波数信号をホッピングさせる方法が、
Ａ  特定の情報チャネルに対して割り当てられた時間スロットを有するその次に発生するフレームの位置番号を決定する段階と、
Ｂ  前記次に発生するフレームの前記決定された位置番号をホッピングレートで除した結果を得る段階と、
Ｃ  複数個のキャリア周波数のうちから前記次に発生するフレームの前記時間スロットに係る一つのキャリア周波数を得るために前記結果を用いる段階と、
を有することを特徴とするキャリア周波数割り当て方法。
【請求項７】
各々が複数個の時間スロットを有する逐次的に発生するフレームによって規定された通信チャネルを有するシステムにおいてキャリア周波数をホッピングさせる方法が、
Ａ  特定の情報チャネルに対して割り当てられた次に発生するフレームにおける時間スロットに対するキャリア周波数を
ｆｎ１＝ｆｎ／ｘ
という関係から決定する段階と、
を有し、
ｆｎは特定の情報チャネルに対して割り当てられた次に発生するフレームの位置番号、ｘはホッピングレート、及び、ｆｎ１はフレームｆｎの時間スロットに対して用いられるべき実際のキャリア周波数を決定する際に用いられるべきフレームの位置番号である
ことを特徴とするキャリア周波数割り当て方法。
【発明の詳細な説明】
【０００１】
【発明の属する技術分野】
本発明は移動体電話システムに関し、特に、通信システムにおける周波数ホッピングを実現する方法に関する。
【０００２】
【従来の技術】
移動体電話システムにおける伝播に係る共通の問題はフェージングである。これは、移動体端末及び基地局の送信及び受信アンテナの間に位置する、建物や、丘などの自然の障害物によって引き起こされるシャドウイング効果の結果として発生する。移動体端末が動き回るに連れて、受信される信号の強度が、その時点で送信及び受信アンテナの間に存在する障害物のタイプの関数として増大及び減少する。
【０００３】
別のタイプの信号劣化は、送出された信号が、送信アンテナから受信アンテナへ複数個の経路を有しており、移動体端末の受信アンテナが単一ではなく複数の信号を受信する場合に発生する。これら複数個の信号のうちの一つは受信アンテナに対して直接到達したものである一方、他の複数のものは、受信アンテナに到達する前にまず建物あるいは他の障害物によって反射されたものであり、よって互いに位相が僅かに遅れている。互いに位相がずらされた同一の信号を複数受信することにより信号のベクトル和が生成され、結果として得られる複合信号が受信アンテナにおいて実際に受信される。ある場合には、受信される信号のベクトル和が非常に小さいあるいはゼロに極めて近いことがあり、結果として、受信される信号が実質的に失われてしまうこともありうる。
【０００４】
時分割多重アクセス（ＴＤＭＡ）が用いられているようなデジタル無線システムの場合には、ある種のデジタル情報を表現している信号が、受信アンテナから離れた場所に位置する物体による元の信号の反射に起因する、相異なって連続的に送信されたシンボルによって、受信アンテナにおいて干渉させられる場合に、時間分散と呼称される問題が発生しうる。この場合には、レシーバにおいては、その時点で検出された実際のシンボルを正確に識別することが困難になる。
【０００５】
移動体電話システムにおける伝播上の困難を補償する目的で用いられる一つの技法が周波数ホッピングである。周波数ホッピングとは、移動体端末が基地局と相異なった周波数で逐次的に通信することを意味しており、移動体端末及び基地局の双方の送信周波数が情報フレーム間で変化する。移動体端末は、通常、フレームのうちの同一の時間スロットを利用するが、ＧＳＭ基準においては、各フレーム間で相異なった周波数に同調させられる。基地局のレシーバも、通信回線を保持する目的で、移動体端末の周波数ホップに一致する次の周波数に再同調させられる。ここで、基地局から移動体端末への通信（ダウンリンク）及び移動体端末から基地局への通信（アップリンク）が、ＧＳＭにおいては相異なった周波数においてなされることに留意されたい。よって、この周波数ホッピングを用いることにより、無線送信及び受信がある時点においてある周波数でなされ、次いで、非常に短い時間が経過した後には、送信及び受信は別の周波数にホッピングさせられる。送信された無線信号が相異なったキャリア周波数である場合には、それは同一のフェージングパターンの影響を受けることがない。なぜなら、フェージングは、通常、周波数依存性を有しており、それ故、相異なった周波数に対しては相異なったパターンを有するからである。例えば、あるキャリア周波数に関して非常に劣悪な受信状況であるような移動体端末は、別のキャリア周波数においては非常に良好な受信状況を有している可能性がある。よって、周波数ホッピングは、実際の伝送時間のスパンにおいて、信号損失量を比較的短い部分にさらに制限するためにも用いられる。
【０００６】
周波数ホッピングの一つの重要な側面は、周波数が連続してホッピングしていく二つあるいはそれ以上のキャリア周波数が、相異なった周波数における独立したフェージングの影響を受けるようになるために、ある程度の最低量だけ離れていなければならない、ということである。信号がホッピングされる周波数は、一方の周波数に係る受信された信号が弱い場合に他方の周波数に係る受信された信号が弱くない、という状況を実現するために、互いに充分に相異なっていなければならない。二つの周波数が互いに非常に近接している場合には、双方の周波数のフェージングによって、受信される信号が弱くなる可能性がさらに増加する。しかしながら、二つの周波数が互いに充分大きな値だけ分離されている場合には、受信された各々の信号が同時に弱い可能性はより小さくなる。
【０００７】
現在のＧＳＭシステムにおいては、トラフィックチャネルは符号化された音声及びデータという二つのタイプのユーザ情報を伝達する、ということが企図されている。トラフィックチャネルの四つのタイプのうちの二つは、フルレート及びハーフレートとして規定されている。アクセス方式は、キャリア当たり八つの基本的物理的チャネルを有する時分割多重アクセス（ＴＤＭＡ）である。それ故、物理チャネルは、ＴＤＭＡフレームのシーケンス、時間スロット番号（８の剰余系）及び与えられた個数の周波数に係る周波数ホッピングシーケンスとして規定される。
【０００８】
周波数ホッピングの主要な利点は、ある伝送回線にダイバシティを実現することであり、さらに、干渉信号間のダイバシティを通じて全ての通信に係る品質を平均化することでもある。全ての移動体は、ある種のアルゴリズムから導出した周波数シーケンスに従って、その時間スロットを送出する。周波数ホッピングはフレーム間で起こり、それゆえ、移動体局は、固定された周波数で一つの時間スロットの間だけ送信あるいは受信を行ない、次のＴＤＭＡフレームにおける時間スロットの前に周波数ホッピングを行なわなければならない。周波数ホッピングシーケンスは、単一セル内では直交している、すなわち、同一セルに係る通信間でのコリジョンは発生しない。そして、あるセルと他の同様のセルとは独立している。すなわち、同一のＲＦチャネルあるいはセル割り当てを用いることができる。
【０００９】
例えば、四つの離散的なキャリア周波数が用いられるフルレートチャネルに関しては、通話情報は、第一、第二、第三及び第四フレームの間に、それぞれ、第一、第二、第三及び第四キャリア周波数において送出される。その後、第五、第六、第七及び第八フレームに関しては、前記サイクルが反復され、通話情報が再び同一のスロット、すなわち、第一、第二、第三及び第四キャリア周波数においてそれぞれ送出される。よって、フルレートチャネルに関しては、複数個の離散的キャリア周波数が、連続して発生する各々のフレームにおける特定の時間スロットに対して、反復して逐次的に割り当てられる。連続して発生する時間スロットに係るキャリア周波数のホッピングは、通話が終端されるまで反復される。図１は、ＧＳＭフルレートチャネルを模式的に示したものであり、四つの離散的キャリア周波数Ｆ０、Ｆ１、Ｆ２及びＦ３を用いる周波数ホッピングシーケンスが、連続して発生する各々のフレームに係る共通の時間スロットにおいて移動体通話情報を送出する目的で用いられている。
【００１０】
繰り返せば、周波数ホッピングを利用することによって、特定の通話に係る全ての情報が、各フレームの同一の時間スロットの間に送出されるが、連続して発生する各々のフレームにおける当該時間スロットに係るキャリア周波数は、干渉及び／あるいはフェージングを最小化する目的で変更させられる。フルレートチャネルにおいては、連続して発生する各々のフレームの同一の時間スロットが、同一の情報チャネルに割り当てられる。ハーフレートチャネルでは、連続するフレームの各々における同一の時間スロットではなく、一つおきのフレームにおける同一の時間スロットが同一の情報チャネルに割り当てられる。
【００１１】
ハーフレートチャネルの間、現在設定されている通話に係る情報は、一つおきのフレームにおける特定の時間スロットの間に送出される。前記以外の別のフレームにおける時間スロットは、当該通話に関してはスキップされる。図１を参照すると、特定の時間スロット、例えばフレーム１の第一時間スロット、に関しては、通話情報はキャリア周波数Ｆ０で送出される。一つおきのフレームの同一の時間スロットが用いられるため、当該情報チャネルに関して用いられる次の時間スロットは、第三フレームの時間スロット１であり、キャリア周波数Ｆ２が用いられる。フレーム２の時間スロット１は用いられず、キャリア周波数Ｆ１がバイパスされることに留意されたい。その後、当該通話情報を伝達するために用いられる次の時間スロットはフレーム５であって、キャリア周波数Ｆ０が用いられる。当該通話情報を送出するために用いられる一つおきのフレームにおける同一時間スロットを用いるシーケンスはフレーム番号１，３，５，７，９，１１，１３．．．と続き、それぞれキャリア周波数Ｆ０，Ｆ２，Ｆ０，Ｆ２，Ｆ０，Ｆ２，Ｆ０．．．において当該通話情報を送出する。キャリア周波数信号Ｆ１及びＦ３は、それらが利用可能であってもスキップされて用いられない。
【００１２】
同様に、クォーターレートのチャネルに関しては、四つおきのフレームにおける時間スロットが通話情報を送出するために用いられ、フレーム番号１，５，９，１３，．．．のフレームにおける時間スロットのみが通話情報を送出する目的で利用される。この場合には、キャリア周波数Ｆ０のみが用いられる。他の利用可能なキャリア周波数、すなわち、周波数Ｆ１、Ｆ２及びＦ３の全ては用いられない。
【００１３】
【発明が解決しようとする課題】
以上の例から明らかなように、フルレートチャネルに関して四つの離散的キャリア周波数を用いる場合には、通話情報は四つの個別の離散的キャリア周波数に対して拡散されており、フェージング及び／あるいは信号劣化の効果を低減するように機能している。しかしながら、ハーフレートチャネルに関しては、通話情報は、四つの利用可能なキャリア周波数のうちのわずか二つでしか担われていない。利用可能な四つキャリア周波数のうちの二つは利用されない。クォーターレートチャネルでは、四つの利用可能なキャリア周波数のうちのわずかに一つのみで通話情報が送出される。利用可能な四つのキャリア周波数のうちの三つは利用されない。よって、ハーフレート及びクォーターレートチャネルは、フェージング及び／あるいは信号劣化の効果の低減に関しては、フルレートチャネルほどは効果的ではない。なぜなら、利用可能なキャリア周波数全てが用いられている訳ではないからである。
【００１４】
よって、フルレート未満の場合においても周波数ホッピングの間のフェージング及び／あるいは信号劣化を低減する、改良された新たな方法に対するニーズが存在する。
【００１５】
【課題を解決するための手段】
本発明は、フルチャネルレートの場合と比較してハーフレートあるいはそれより低いレートの場合に発生する信号性能の劣化という前述された問題点を解決する。本発明は、特定の情報チャネルに割り当てられた連続して発生する各々のフレームにおける時間スロットに対して、当該複数個の離散的キャリア周波数の各々がキャリア周波数のタイムスロットへの割り当てサイクルの反復される時間で割り当てられるまで、複数個の離散的キャリア周波数のうちの一つを割り当てる。
【００１６】
ある実施例においては、逐次発生するフレーム内の時間スロットによって規定された通信チャネルを有する通信システムにおいて、キャリア周波数が通信チャネルに割り当てられる。当該通信チャネルに割り当てられた時間スロットを有するフレームの位置が定義され、複数個のキャリア周波数よりなる組に属するキャリア周波数が、フレーム位置と当該複数個のキャリア周波数よりなる組との間の複数個の関連のうちの一つを用いて、タイムスロットに対して割り当てられる。当該複数個の関連のうちの一つが、当該通信チャネルによって用いられる通信レートに基づくキャリア周波数の割り当てにおいて利用されるように選択される。
【００１７】
別の実施例においては、フレーム位置と複数個のキャリア周波数の組との間の第一の関連が、通信が第一通信レートにおいてなされている際のキャリア周波数の時間スロットへの割り当てに用いられ、フレーム位置と複数個のキャリア周波数の組との間の第二の関連が、通信が第二通信レートにおいてなされている際のキャリア周波数の時間スロットへの割り当てに用いられる。
【００１８】
さらに別の実施例においては、同一のキャリア周波数が、フレーム内の複数個の時間スロットに対して割り当てられる。
【００１９】
【発明の実施の形態】
ＧＳＭシステムにおいては、本発明の参照文献である１９９１年６月のＧＳＭ推奨０５−０２に従って、デジタル的に符号化された音声チャネルが、“フルレート”あるいは“ハーフレート”チャネルを公認するように設計されている。データ伝送も、“フルレート”あるいは“ハーフレート”チャネルに関して提供される。前述されているように、フルレートチャネルに関しては、全てのフレームの同一の時間スロットが特定の情報チャネルに割り当てられる。ハーフレートチャネルに関しては、一つおきのフレームの同一の時間スロットが特定の情報チャネルに割り当てられる。同様に、クォーターレートチャネルに関しては、四つ毎のフレームの同一の時間スロットが特定の情報チャネルに割り当てられる。現在のＧＳＭ周波数ホッピングシーケンス発生器は、フルレートチャネル向けに設計されている。さらに、前述されているように、現在のシステムの性能は、フルレート未満のチャネルが用いられる際には劣化する。なぜなら、音声あるいはデータ情報を送出するために用いられることが可能なキャリア周波数の総数全体が用いられるわけではないからである。前述された特定の例では、ハーフレートチャネルの場合には、利用可能な四つ（Ｆ０，Ｆ１，Ｆ２，Ｆ３）のキャリア周波数のうちのわずか二つ（Ｆ０及びＦ２）しか利用されない。よって、キャリア周波数Ｆ２がフェージングあるいは干渉を受ける場合には、通話情報の５０パーセントが失われる可能性がある。その一方で、四つのキャリア周波数の全てが通話情報を送出する目的で用いられる場合には、わずかに２５パーセントのみが影響を受ける可能性があることになる。
【００２０】
ＧＳＭが第三世代へと発展し、ヘンハンストデータＧＳＭ評価アクセスネットワーク（ＥＤＧＥ）、適応マルチレート（ＡＭＲ）及びインテリジェントアンテナなどの進んだ技術が用いられるようになると、ハーフレートチャネルはよりしばしば用いられることになる。なぜなら、容量の増大がより重要になるからである。本明細書に記載されている本発明は、フルレート未満のチャネルを用いるＧＳＭシステムが、利用可能な離散的キャリア周波数の個数とチャネル符号ホッピングレートの逆数とが共通因数を有している場合にフルレートチャネルに関して実現されるものと同一レベルの性能品質を実現することを、初めて可能にする。よって、例えば、利用可能な離散的キャリア周波数の個数が４で、周波数ホッピング符号レートが半分である場合には、共通因数は２になる。利用可能な離散的キャリア周波数の個数が４で周波数符号レートが四半分である場合にも、共通因数は２である。
【００２１】
ＧＳＭ０５−０２に規定されているようなＧＳＭ周波数ホッピングシーケンス発生器は、フルレートチャネルにおける全てのフレームをインクリメントする目的で、システムの共通フレーム番号を利用してキャリア周波数を生成する。このような場合、利用できる離散的キャリア周波数の個数とチャネルホッピングレートが共通因数を有しているならば、本発明を利用することによって、フルレートチャネルに関して実現されるものと同一レベルの性能品質が、ハーフレートあるいはそれ以下のレートのチャネルに関しても実現されうる。このことは、来たるべきフレームの位置番号（フレーム番号）を２で除し、その結果が整数ではない場合にはそれを最近接の整数に丸め、その結果得られた整数をＧＳＭ周波数ホッピングシーケンス発生器をトリガーするための新たなフレーム番号として用いることによって実現される。
【００２２】
ハーフレートチャネルの場合におけるフレーム位置とキャリア周波数との関係は、ｆn'＝ｆn／２である。ここで、ｆnは情報チャネルに割り当てられた時間スロットを有する次に現われるフレームの位置番号、ｆn'はフレームｆnの次に現われる時間スロットに関して使われることになる実際のキャリア周波数を生成する目的でシーケンス発生器へのトリガー信号として用いられるフレームの位置番号、そして、“２”はハーフレート（１／２）チャネルに関して用いられる因数である。
【００２３】
クォーターレートチャネルに関しては、関係はｆn'＝ｆn／４となる。ここで、“４”はクォーターレートチャネルに関して用いられる因数である。
【００２４】
一般的な関係は、ｆn'＝ｆn／ｘである。ここで、ｘはチャネルレートである。すなわち、前述されているように、ハーフレートチャネルに関してはｘは２であり、クォーターレートチャネルに関してはｘは４である。
【００２５】
前述されているように、従来技術に係るハーフレートチャネルに関しては、フレーム番号１，３，５，７，９，１１，１３，１５，１７．．．の時間期間において、特定の情報チャネルに係る通話情報を送出するために用いられるキャリア周波数は、それぞれ、Ｆ０，Ｆ２，Ｆ０，Ｆ２，Ｆ０，Ｆ２，Ｆ０，Ｆ２，Ｆ０．．．である。よって、ハーフレートチャネルに関しては、従来技術は利用可能はキャリア周波数のうちのわずか二つしか用いない。
【００２６】
本発明に係る方法においては、正しいキャリア周波数を決定する目的でｆn'＝ｆn／２という関係を用いることによって、用いられることになるキャリア周波数はＦ０，Ｆ０，Ｆ１，Ｆ２，Ｆ３，Ｆ０，Ｆ１，Ｆ２，Ｆ３．．．となる。明らかに、本発明によって、ハーフレートチャネルに関しても、二つあるいは三つではなく、四つのキャリア周波数全てが用いられることになる。
【００２７】
同様に、クォーターレートチャネルに関しては、さらにより劇的な結果が得られる。すなわち、本発明によって四つのキャリア周波数全てが用いられることになるが、従来偽８術においてはわずかに単一のキャリア周波数が用いられるのみである。
【００２８】
図２には、音声あるいはデータ情報によって変調される周波数ホッピングキャリア周波数を生成するための回路構造を例示したブロック図が示されている。発振器１００からの信号は、変調器１０２において音声あるいはデータ信号によって変調され、その出力は乗算器１０４の入力端子に供給される。乗算器１０４の第二の入力端子は、周波数シンセサイザ１０６からの信号を受信するように接続されている。乗算器１０４の出力は、周波数ホッピングシーケンス発生器１１２の入力に接続されている。フレーム番号信号及び時間スロット位置信号の二つの信号も、周波数ホッピングシーケンス発生器１１２に供給される。周波数ホッピングシーケンス発生器は、時間スロット位置、フレーム番号及び周波数ホッピングレートに追随して、本発明の原理に従って、各フレーム番号を有する各々の時間スロットに関する適切なキャリア周波数を生成する。
【００２９】
その動作は、ハーフレートチャネルに関しては、各ユーザに、一つおきのフレームにおける固定された時間スロットが割り当てられる。図１を参照すると、ある特定のユーザには、フレーム番号１，３，５，７，９，１１，１３．．．における固定された時間スロットが割り当てられることになる。本発明によって、周波数ホッピングシーケンス発生器の出力信号は、当該時間スロットに関して、フレーム番号１，３，５，７，９，１１，１３．．．に対して、キャリア周波数をＦ０，Ｆ１，Ｆ２，Ｆ３，Ｆ０，Ｆ１，Ｆ２．．．のようにインクリメントする。
【００３０】
クォーターレートチャネルの場合には、各ユーザに、フレーム番号四つ毎に固定された時間スロットが割り当てられる。この際は、本発明に従うと、周波数ホッピングシーケンス発生器１１２は、フレーム番号１，５，９，１３，１７．．．における割り当てられた時間スロットに関して、キャリア周波数Ｆ０，Ｆ１，Ｆ２，Ｆ３，Ｆ０，Ｆ１，Ｆ２．．．を生成する。結果として、フレーム位置とキャリア周波数の関係は、（１，Ｆ０）と、（５，Ｆ１）と、（９，Ｆ２）と、（１３，Ｆ３）と、（１７，Ｆ０）と、（２１，Ｆ１）と、．．．となる。
【００３１】
以上より、本発明を用いることによって、通信チャネルに割り当てられた時間スロットを有するフレームの位置が決定され、次いで、あるチャネルレートで動作している場合にはフレーム位置とキャリア周波数との間の第一の関連を利用して、さらに、別のチャネルレートで動作している場合にはフレーム位置とキャリア周波数との間の相異なった関連を利用して、キャリア周波数が時間スロットに対して割り当てられる。適切なキャリア周波数の選択は、ルックアップテーブルあるいはフレーム位置をチャネルレートに基づいてキャリア周波数に関連付けるようにプログラムされたプロセッサから得られる。
【００３２】
本明細書においては、本発明は、ＧＳＭシステムのような、ホッピングパターンが反復されるサイクリックホッピングを利用するシステムを参照して記述されている。ここで、ＧＳＭシステムは、前述されたような一つのサイクリックホッピングシーケンスと、６３のランダムなホッピングシーケンスを有していることに留意されたい。ランダムホッピングシーケンスは反復パターンを有さない。本発明は、ＧＳＭシステムのサイクリックホッピングシーケンスに限定されているのではなく、全てのランダムホッピングシーケンスに関しても改善された結果を生成する。
【００３３】
以上の説明は、本発明の一実施例に関するもので，この技術分野の当業者であれば、本発明の種々の変形例が考え得るが、それらはいずれも本発明の技術的範囲に包含される。
【００３４】
【発明の効果】
以上述べたごとく、本発明によれば、周波数ホッピングの間のフェージング及び／あるいは信号劣化をレートによらずに低減する、改良された新たなキャリア周波数割り当て方法が提供される。
【００３５】
特許請求の範囲の発明の要件の後に括弧で記載した番号がある場合は本発明の一実施例の態様関係を示すものであって、本発明の範囲を限定するものと解釈してはならない。
【図面の簡単な説明】
【図１】  共通時間スロットに係るフレーム位置数に対する四つの離散的なキャリア周波数の関係を模式的に示す図。
【図２】  周波数ホッピングキャリア信号を生成するための回路構成を示すブロック図。
【符号の説明】
１００  発振器
１０２  変調器
１０４  乗算器
１０６  周波数シンセサイザ
１１２  周波数ホッピングシーケンス発生器
【図１】
0004964373.tif 000002
【図２】
0004964373.tif 000003